(57)【特許請求の範囲】
【請求項１】
平面視四角枠状に配置された複数の直立した腰石を設け、該腰石上部に当接して、平面視長方形板体によるコーピン型敷石を設けるとともに、各腰石の上部に通気口を設け、腰石により囲まれる空間内において、一対の中胴石を設けるとともに該中胴石の下部に通気孔を設け、該中胴石と上記腰石の間にサイド補強石を各々設け、このサイド補強石下端位置は前記腰石の下端と上端との中間位置として、以上の構成にて腰石の通気口より腰石で囲まれた空間内に流入した外気が、この腰石で囲まれた空間内に存在する空気の高温層と中温層および低温層内を順次通過して外方へ排出されることにて、該空間内空気のミキシングを可能として、このミキシングにて外気温度と内部温度との均一化が促進されて結露を防止できるよう構成したことを特徴とする耐震性および換気機能を有する墓構造。
【発明の詳細な説明】
【技術分野】
【０００１】  この発明は、耐震性と墓内換気機能および墓内空隙への水の侵入防止機能を有する墓構造に関する。
【背景技術】
【０００２】  従来より、種々の形式の墓が用いられているが、本発明に示すように、上部敷石を分割型として、この敷石の後方から前方に向かって分割線を有するとともに耐震性および墓内換気機能を有するものは見当たらない。
【発明の概要】
【発明が解決しようとする課題】
【０００３】  墓構造においては、納骨所（カロート）を有して、このカロート内に骨を納めるが、地上にこのカロートを有する墓石構造も多用されている。この場合、地上立設された腰石上に上部敷石を載置固定し、該敷石下方をカロートとするのであるが、通常はこの敷石を切除した形状となるために、敷石を分割形成する。この分割の場合において、敷石の側方方向に分割するために、この分割部分から水がしみこみやすくなるのである。
つまり、一般的手法としては、基礎コンクリート上にモルタルを介して分割した敷石を，その端面を互いに近接させて位置させ、この近接箇所にコーキング処理を行うのであるが、経年変化にてこのコーキングのひび割れ現象が発生して、このひび割れ箇所から雨水等が侵入し、とりわけ寒冷地冬期においては、この侵入した水が敷石下にて凍結し、敷石を持ち上げるなどの問題が発生するのである。また、敷石の後方から前方に向けてある程度の下降傾斜を設けて、この敷石上面の雨水排除をする方式においても、やはり分割部分にてその雨水の流れが円滑でなくなるために、コーキング箇所に雨水が溜まりやすくなり、上記問題が発生するという問題を有している。
従来法では石材だけでなく基礎コンクリートも雨水や結露にて水を吸うために、これが溶けて石表面に流下（白華）現象やシミが生ずるのである。
さらに、墓内の換気機能がないために結露や虫等の侵入の問題があった。
また、従来の墓構造では腰石内にコンクリートを打設する構成のため、その重量が増加して耐震性に問題があった。
本発明は以上に鑑み、後述する仕組みにて、前記の分割方向を敷石後方から前方へ向かうものとして、敷石を前方に向けて下降傾斜させる場合における敷石上面雨水の円滑なる排除および重量減による耐震性の向上および墓内換気を可能として、既述の問題の解決を可能とするべく発明されたものである。
【課題を解決するための手段】
【０００４】  課題を解決するための手段として本発明は以下の構成とした。すなわち、平面視四角枠状に配置された複数の直立した腰石を設け、該腰石上部に当接して、平面視長方形板体によるコーピン型敷石を設けるとともに、各腰石の上部に通気口を設け、腰石により囲まれる空間内において、一対の中胴石を設けるとともに該中胴石の下部に通気孔を設け、該中胴石と上記腰石の間にサイド補強石を各々設け、このサイド補強石下端位置は前記腰石の下端と上端との中間位置として、以上の構成にて腰石の通気口より腰石で囲まれた空間内に流入した外気が、この腰石で囲まれた空間内に存在する空気の高温層と中温層および低温層内を順次通過して外方へ排出されることにて、該空間内空気のミキシングを可能として、このミキシングにて外気温度と内部温度との均一化が促進されて結露を防止できるよう構成する。本発明は以上の構成よりなる耐震性および換気機能を有する墓構造である。
【発明の効果】
【０００５】  本発明は下記の効果を有する。
１．腰石上面に位置する分割したコーピン型敷石の相互当接部を，墓石後方から前方へ向かうものとすることにて、墓石全体を前方方向へやや下降傾斜させた場合における該敷石上面での雨水の流れを良くして、排水機能を向上させることができる。
２．コーピン型敷石の相互当接部に段部を設けることにて，墓石空間内への雨水侵入防止機能を高めることができる。
３．コーピン型敷石により囲まれる空隙内にて、上台下部を挿入載置する構成としたので、単なる平板上の載置による従来法に比べて、上台の安定度を高めて地震に強い構造とすることができる。
４．腰石に複数の通気口を設けたので、墓内換気機能にて、墓内の結露や虫等の侵入を防止することができる。
５．腰石内に空隙を設けたので、総合重量は減少して耐震性を高めることができる。
【図面の簡単な説明】
【０００６】
【図１】本発明の要部構造説明図（コーピン型敷石載置前）
【図２】本発明の要部構造説明図（コーピン型敷石載置後）
【図３】本発明の内部構造説明図（左側面視）
【図４】本発明の内部構造説明図（正面視・一部略）
【図５】本発明の内部構造説明図（平面視）
【図６】本発明の換気口他例説明図
【図７】本発明の換気機能説明図
【図８】本発明の全体斜視図（一部略）
【発明を実施するための形態】
【０００７】  以下、本発明の実施形態について説明する。
図において、１は前方腰石で、所定厚長方形状石材による直立平板で、その中央には前方通気口２が穿設される。３および４は同様の直立平板による側方腰石で、前方腰石の後方両サイドに位置する。５は後方腰石で、側方腰石間にて直立位置している。
６および７は中胴石で、側方腰石間にて所定距離を有して直立対向位置する。
この中胴石の中央下部には通気孔８および９が設けられる。１０はセンター補強石で、双方の中胴石間にて直立して当接位置する。
以上の腰石と中胴石および補強石の上面は同一平面に位置し、これらの各石は固着等にて相互固定される。１２はその中央を一段低く形成してなる平板状石材による前方敷石で、その中央上面には滑り止め加工部１３が形成される。この前方敷石は、前方腰石の前面に図のごとく当接して位置する。
【０００８】  １４および１５はコーピン型側方敷石で、図２にて示すように、内方に向けて一段下がった段部を有する平面視略長方形石材平板である。このコーピン型側方敷石は、図にて示すように、前記の各腰石上面に接して段部を内方に向けて対向位置する。
１６はコーピン型後方敷石で、双方のコーピン型側方敷石間に図のごとく当接して位置する。１７はコーピン型前方敷石で、同様に双方のコーピン型側方敷石間に当接して位置する。これらの各コーピン型敷石は、その上面は同一平面上にあり、また、一段下がった段部による平面も各々同一平面上として、各々内方に向けて位置している。
各コーピン型敷石の当接にて、当接部１８〜２１が形成され、これらの当接部は必要に応じてコーキング処理がなされる。以上が本発明の水侵入防止の主要構成である。
【０００９】  次ぎに換気の構成について説明する。
図において、２２および２３はサイド補強石で、前方腰石と後方腰石間に設けられ、その上面は各腰石と同一平面上にあり、下面は図４のごとく中間位置である。
２４および２５は側方通気口で、側方腰石の上部に設けられ、２６は後方通気口で後方腰石の上部に設けられて、各通気口には虫等侵入防止のためのネットが設けられている。
以上の構成から、図７にて示す換気機能が得られる。すなわち、通気孔２４より入った外気は、サイド補強石２２の下方を通って、中胴石６の下方を抜け、さらに中胴石７の下を通り、サイド補強石２３の下方を通り、側方通気孔２５から外方へと抜ける、
【００１０】  図７において、墓内気温として、ａは高温層、ｂは中温層、ｃは低温層である。
温度差にて高温は上方へ移行する性質のためにこのようになっている。外気が高温のときは、通気口より墓内に入った空気は、この通気口が側方腰石の上部にあるために高温のまま中に入り、高温層から中温層へと移行し、さらに低温層を通過する。このとき、入った外気と中の空気のミキシングが行われて、均一温度へと移行する。同様にして、低温層から中温層へそして高温層移行するときにもこのミキシングがなされて均一化となる。
これにて、外部へ放出され、次第に外気温度と内部温度が同じになるので、通常のお墓で起こる結露や、内部が温かいことで起きる虫、ネズミ、蛇などの侵入は防止される。
なお、外気温度が低いときは、同様に墓内空気の各層を通過することにて温度は均一化される。
【００１１】  次ぎに、耐震構成について説明する。既述のように従来の墓構造は、腰石内にコンクリートを打設したものである。物体には慣性があり、地震のときの揺れにてその揺れにより生ずる慣性力は重量が大きいほど大となる。従って、従来法では上記コンクリート部分のためにその重量が大きく、揺れによるダメージは大きくなる。
これに対し本発明は、図３〜図４の二点鎖線にて示す従来のコンクリートはなく、従って軽量のため慣性エネルギーは小さく、地震による影響を少なくすることができる。
また、中胴石、センター補強石、サイド補強石などを付加することにて、腰石相互の強度が保たれる。なお、各補強石の配置は、腰石サイズによって適宜に増減される。
【００１２】  墓構造の完成のためには、以下の構成物が設けられる。
すなわち、図８にて示されるように、上台３０、竿石３１、供物台３２、スライド式供物台３３、花立て３４を有する構成物が、前記の本発明構成物の上に設けられる。
この上台の下方サイズは、段部を有して下方突出部を有しており、この突出部分が前記のコーピン型敷石の段部および空隙部に図３〜図４のごとく挿入載置固定される。
以上にて本発明墓構造による墓石が完成する。また、付加的に防風灯４０、拝石４１、収納庫４２、墓誌４３等が設置される。
【００１３】  既述の中胴石と補強石、コーピン型敷石、上台下部により囲まれる空間はカロートとして用いられる。このカロート内への水侵入を防ぐために、本発明構成にては図２に示す当接部１８〜２１の構成としている。コーピン型敷石はその扱いと加工上、三分割にて形成するが、従来例では、その当接部は墓の前方側が下降傾斜している場合において、敷石上面雨水の流れる方向に対して直角方向となっているために、雨水の円滑な流れが阻害されがちである。これに対し本発明では、雨水流れと同一方向に当接部が位置しているために、カロート内への雨水侵入を従来例に比べて低下させることができる。
【００１４】  以上、本発明について記したが、本発明はコーピン型敷石の当接部方向を従来例とは異なって墓石後方から前方へ向かうものとして、石上面の雨水排除効果を向上させたものである。本発明では図示しなかったが、墓石全体をわずかに前方へ向けての下降傾斜とすることにて、本発明効果を発揮させることができる。なお、カロート内温度と湿度調整のために、既述の各通気口を設けて構成している。なお、この換気口は腰石が高い場合などでは上下２カ所に設けてもよい。
コーピン型敷石は、既例においては一段下がった段部を有するものとしたが、この段部を設けずに、平面視における単なる長方形平板として用いることもできる。なお、コーピンとは、墓外柵の上に位置する石材のことである。
本発明では図２のごとく、コーピン型敷石を用いて、中央に空隙を形成し、この空隙に図３〜図４のように、上台下部の下方突出部分が挿入位置するので、単なる載置方式の従来法に比べて、上台の保持性が高まり、地震などの場合における墓石の安定度を高めた構造としている。また、サイド補強石を設けたので、さらに高強度となっており、墓面積が大きい場合でも対応が可能であり、コンクリート打設を用いないので、工期が短縮されるとともに施工経費的にも有利である。
なお、既述の例は実施の一例であって、近似の他の構成としてもよい。
以上のごとく、本発明によって墓石上面の雨水排除および墓内換気に効果的なる墓構造を得ることができる。
【符号の説明】
【００１５】１．前方腰石２．前方通気口３．側方腰石４．側方腰石５．後方腰石６．中胴石７．中胴石８．通気孔９．通気孔１０．センター補強石１２．前方敷石１３．滑り止め加工部１４．コーピン型側方敷石１５．コーピン型側方敷石１６．コーピン型後方敷石１７．コーピン型前方敷石１８．当接部１９．当接部２０．当接部２１．当接部２２．サイド補強石２３．サイド補強石２４．側方通気口２５．側方通気口２６．後方通気口２７．上部通気口２８．下部通気口３０．上台３１．竿石３２．供物台３３．スライド式供物台３４．花立て４０．防風灯４１．拝石４２．収納庫４３．墓誌ａ  高温層ｂ  中温層ｃ  低温層
【要約】【課題】墓石内空間への水侵入防止と換気機能および耐震機能に優れた墓構造を提供する。【解決手段】平面視四角枠状に配置された複数の直立した腰石を設け、該腰石上部に当接して、平面視長方形板体によるコーピン型敷石を設けるとともに、各腰石の上部に通気口を設け、腰石により囲まれる空間内において、一対の中胴石を設けるとともに該中胴石の下部に通気孔を設け、該中胴石と上記腰石の間にサイド補強石を各々設け、このサイド補強石下端位置は前記腰石の下端と上端との中間位置として、以上の構成にて腰石の通気口より腰石で囲まれた空間内に流入した外気が、この腰石で囲まれた空間内に存在する空気の高温層と中温層および低温層内を順次通過して外方へ排出されることにて、該空間内空気のミキシングを可能として、このミキシングにて外気温度と内部温度との均一化が促進されて結露を防止できるよう構成したことを特徴とする。【選択図】図１【図１】
0006957787.tif 000002
【図２】
0006957787.tif 000003
【図３】
0006957787.tif 000004
【図４】
0006957787.tif 000005
【図５】
0006957787.tif 000006
【図６】
0006957787.tif 000007
【図７】
0006957787.tif 000008
【図８】
0006957787.tif 000009